(57)【要約】【課題】良好に発電することができる波力発電装置を提供する。【解決手段】波力発電装置は、第１支持部材１０、回転軸１５、複数の水車１６、第２支持部材１２、軸受部材１４、連結部材１１を備えている。第１支持部材１０は回転軸１５の上端部が回転自在に連結している。そして、回転軸１５は第１支持部材１０から垂下している。複数の水車１６は回転軸１５に連結して回転軸１５を中心に回転し、上下方向に並んで設けられている。第２支持部材１２は各水車１６毎に上方及び下方に設けられ、回転軸１５を回転自在に挿通する。軸受部材１４は各水車１６の間に設けられた第２支持部材１２に取り付けられ、回転軸１５を回転自在に支持する。連結部材１１は第１支持部材１０及び第２支持部材１２を連結する。【選択図】図４
2018071448.tif 000002
【特許請求の範囲】
【請求項１】
第１支持部材と、
前記第１支持部材に上端部が回転自在に連結して垂下する回転軸と、
前記回転軸に連結して前記回転軸を中心に回転し、上下方向に並んで設けられた複数の水車と、
各前記水車毎に上方及び下方に設けられ、前記回転軸を回転自在に挿通する第２支持部材と、
各前記水車の間に設けられた前記第２支持部材に取り付けられ、前記回転軸を回転自在に支持する軸受部材と、
前記第１支持部材及び前記第２支持部材を連結する連結部材と、
を備えていることを特徴とする波力発電装置。
【請求項２】
複数の前記水車は、
それぞれが前記回転軸に着脱自在であることを特徴とする請求項１に記載の波力発電装置。
【請求項３】
前記水車は、
岸壁に設置された状態で鉛直方向に伸びた前壁部に形成されたスリット状の前開口部を介して波が流入出する消波用空間内に配置され、
上下方向で隣り合う前記第２支持部材の間に、整流部材が設けられていることを特徴とする請求項１又は２に記載の波力発電装置。
【請求項４】
前記整流部材は、
上下方向で隣り合う前記第２支持部材の間に設けられ、上端が上側の前記第２支持部材に連結し、下端が下側の前記第２支持部材に連結していることを特徴とする請求項３に記載の波力発電装置。
【請求項５】
前記整流部材は、
前記回転軸に沿って伸びた整流面を有しており、
上方から見た平面視において、前記整流面は前記前開口部の開口方向に対して交差する方向に角度を調整して前記第２支持部材に連結されていることを特徴とする請求項３又は４に記載の波力発電装置。
【発明の詳細な説明】
【技術分野】
【０００１】
本発明は波力発電装置に関するものである。
【背景技術】
【０００２】
特許文献１は従来の波力発電装置を開示している。この波力発電装置は内部に消波用空間を有した消波用ブロック、水車、水車と共に回転する回転軸、及び発電機を備えている。消波用ブロックは鉛直方向に延びたスリット（前開口部）が沖側である前面に設けられている。スリットは消波用ブロック内に設けられた消波用空間と沖側とを連通している。水車は消波用空間内に設けられている。水車は回転中心を上下方向にして消波用ブロックのスリットに沿って上下方向に並んで設けられている。回転軸は一対設けられている。詳しくは、一方の回転軸は最も上に配置された水車の上面から上方向に延びて、消波用ブロックの上壁部を貫通している。また他方の回転軸は最も下に配置された水車の下面から下方向に延びており、消波用ブロックの下壁部に回転自在に挿通されている。発電機は一方の回転軸の上端部が連結されている。発電機は波を受けた水車と共に回転する回転軸によって駆動されて発電する。
【０００３】
また、水車は上方からの平面視において、水車の回転中心に対称に半円筒状をなした一対の羽根部材が設けられている。つまり、水車はサボニウス型水車である。また、上下方向に隣り合う水車は互いの羽根部材の回転方向の位相が所定の角度ずれて配置されている。これにより、この波力発電装置は波を受けた水車と共に回転する回転軸の回転斑を抑えることができる。このため、この波力発電装置は安定的に発電することができる。
【先行技術文献】
【特許文献】
【０００４】
【特許文献１】特開２０１３−２４１０号公報
【発明の概要】
【発明が解決しようとする課題】
【０００５】
しかし、特許文献１の波力発電装置は、一方、及び他方の回転軸が互いに直接連結していない。このため、この波力発電装置は水車に勢いの強い波がぶつかると、水車の羽根部材が変形して、互いに一直線上に配置されていた一方、及び他方の回転軸の互いの位置がずれるおそれがある。これにより、この波力発電装置は水車が波を受けても回転できなくなり、発電できなくなるおそれがある。
【０００６】
本発明は、上記従来の実情に鑑みてなされたものであって、良好に発電することができる波力発電装置を提供することを解決すべき課題としている。
【課題を解決するための手段】
【０００７】
本発明の波力発電装置は、第１支持部材、回転軸、複数の水車、第２支持部材、軸受部材、連結部材を備えている。第１支持部材は回転軸の上端部が回転自在に連結している。そして、回転軸は第１支持部材から垂下している。複数の水車は回転軸に連結して回転軸を中心に回転し、上下方向に並んで設けられている。第２支持部材は各水車毎に上方及び下方に設けられ、回転軸を回転自在に挿通する。軸受部材は各水車の間に設けられた第２支持部材に取り付けられ、回転軸を回転自在に支持する。連結部材は第１支持部材及び第２支持部材を連結する。
【０００８】
この波力発電装置は第１支持部材に上端部が回転自在に連結して垂下した回転軸に複数の水車が連結している。また、この波力発電装置は上下方向に隣り合う水車の間に設けられた軸受部材を介して回転軸が第２支持部材に回転自在に挿通している。このため、この波力発電装置は水車に勢いの強い波がぶつかっても水車や回転軸が変形することを抑えることができる。
【０００９】
したがって、本発明の波力発電装置は良好に発電することができる。
【００１０】
本発明の複数の水車は、それぞれが回転軸に着脱自在であり得る。この場合、この波力発電装置は、所望の水車のみを容易にメンテナンスすることができる。
【００１１】
本発明の水車は、岸壁に設置された状態で鉛直方向に伸びた前壁部に形成されたスリット状の前開口部を介して波が流入出する消波用空間内に配置され、上下方向で隣り合う第２支持部材の間に、整流部材が設けられ得る。この場合、この波力発電装置は上下方向に並んだそれぞれの水車に深さ方向で流れ方の異なる波をより効率よくぶつけることができる。
【００１２】
本発明の整流部材は、上下方向で隣り合う第２支持部材の間に設けられ、上端が上側の第２支持部材に連結し、下端が下側の第２支持部材に連結し得る。この場合、この波力発電装置は上下方向で隣り合う第２支持部材が整流部材によって連結される。これにより、この波力発電装置は構造をより強くすることができる。
【００１３】
本発明の整流部材は、回転軸に沿って伸びた整流面を有しており、上方から見た平面視において、整流面は前開口部の開口方向に対して交差する方向に角度を調整して第２支持部材に連結され得る。この場合、この波力発電装置は消波用空間に流入する波である入射波と、消波用空間に流入した入射波が消波用空間の奥で反射した反射波とを装置の消波用空間に交互に流入出させるように整流部材の整流面を調整することができる。つまり、この波力発電装置は、設置する場所の地形により特定される波の周期に合わせて整流部材の整流面を調整して、入射波、及び反射波のそれぞれを良好に消波用空間に流入出させることができる。
【図面の簡単な説明】
【００１４】
【図１】実施形態１の波力発電装置を前方から見た正面図である。
【図２】図１におけるＸ−Ｘ断面図である。
【図３】図１におけるＹ−Ｙ断面図である。
【図４】図１におけるＺ−Ｚ断面図である。
【図５】実施形態１の波力発電装置の発電部の一部を拡大して示した要部拡大図である。
【発明を実施するための形態】
【００１５】
本発明の波力発電装置を具体化した実施形態１について、図面を参照しつつ説明する。
【００１６】
＜実施形態１＞
実施形態１の波力発電装置は、図１、４に示すように、消波用ブロック３０に設けられた消波用空間Ｒ内に設置される。詳しくは、消波用ブロック３０は複数個が岸壁Ｓに沿って設置される。消波用ブロック３０は後述する後壁部３０Ｃが岸壁Ｓ側に位置して設置される。消波用ブロック３０は外形が直方体状をなしている。消波用ブロック３０は、前壁部３０Ａ、左右側壁部３０Ｂ、後壁部３０Ｃ、及び底壁部３０Ｄを有している。
【００１７】
前壁部３０Ａは平板状をなして左右方向（左右は、図４における奥側手前側である。以下同じ）に幅を有し、上下方向（上下は、図４における上側下側である。以下同じ）に延びている。左右側壁部３０Ｂはそれぞれ同じ形状である。左右側壁は平板状をなして前後方向（前後は、図４における左側右側である。以下同じ）に幅を有し、上下方向に延びている。左右側壁部３０Ｂは上下方向の寸法が前壁部３０Ａの上下方向の寸法と同じである。左右側壁部３０Ｂは前壁部３０Ａの左右両端のそれぞれから前壁部３０Ａに対して直角に後方向に延びている。後壁部３０Ｃは外形が前壁部３０Ａの外形と同じである。後壁部３０Ｃは平板状をなして左右方向に幅を有し上下方向に延びている。後壁部３０Ｃは前壁部３０Ａに対して平行であり、左右側壁部３０Ｂの後端部に左右両端部が連続している。
【００１８】
底壁部３０Ｄは平板状をなしている。底壁部３０Ｄは左右方向の寸法が前壁部３０Ａ及び後壁部３０Ｃの左右方向の寸法と同じである。また、底壁部３０Ｄは前後方向の寸法が左右側壁部３０Ｂの前後方向の寸法と同じである。底壁部３０Ｄは、左右両端のそれぞれを左右側壁部３０Ｂの下端に連続して、前後両端を前壁部３０Ａ、及び後壁部３０Ｃの下端に連続している。消波用ブロック３０は上端部に前壁部３０Ａ、左右側壁部３０Ｂ、後壁部３０Ｃ、及び底壁部３０Ｄのそれぞれの上端部で囲まれた上端開口部３０Ｅが形成されている。こうして、消波用ブロック３０は、前壁部３０Ａ、左右側壁部３０Ｂ、後壁部３０Ｃ、及び底壁部３０Ｄに囲まれた消波用空間Ｒが形成されている。また、消波用ブロック３０は岸壁Ｓに設置された状態において、前壁部３０Ａに鉛直方向に伸びたスリット状の前開口部３０Ｆが設けられている。前開口部３０Ｆは消波用空間Ｒと沖Ｐ側とを連通している。
【００１９】
また、消波用ブロック３０は上端開口部３０Ｅに梁部材３０Ｇが取り付けられている。詳しくは、梁部材３０Ｇは棒状をなして左右方向に延びている。梁部材３０Ｇは棒状の一端部、及び他端部のそれぞれが左右側壁部３０Ｂのそれぞれの上端に配置されて消波用ブロック３０の上端開口部３０Ｅに複数が取り付けられている。これら梁部材３０Ｇは互いに平行である。
【００２０】
波力発電装置は、図１、４に示すように、第１支持部材１０、連結部材１１、第２支持部材１２、第３支持部材１３、軸受部材１４、回転軸１５、水車１６、整流部材２０、及び発電部４０を備えている。第１支持部材１０は前後方向に幅を有し左右方向に長い長方形状である。また、第１支持部材１０は第１挿通孔１０Ａ、第１凹部１０Ｂ、垂下板１０Ｃ、取付け部１０Ｄ、及び吊下げ部５０を有している。第１挿通孔１０Ａは第１支持部材１０の平板状の中央部に左右に並び、板厚方向に貫通して２つが設けられている。第１凹部１０Ｂはそれぞれの第１挿通孔１０Ａに同軸に平板状の第１支持部材１０の上面に下方向に窪んで設けられている。第１凹部１０Ｂは内径が第１挿通孔１０Ａの内径より大きい。
【００２１】
垂下板１０Ｃは平板状をなしており、第１支持部材１０の平板状の左右両端のそれぞれに１つずつ垂下して取付けられている。取付け部１０Ｄは柱状をなして上下方向に延びている。取付け部１０Ｄは２つの垂下板１０Ｃの左右外側の前端部及び後端部に１つずつ、それぞれの下端部を連結して上方向に延びている。
【００２２】
吊下げ部５０は、平板状の第１支持部材１０の上面に設けられている。吊下げ部５０は、図５に示すように、吊下げ部本体５１、第１軸受５２、第２軸受５３、第１ダストシール５４、蓋部材５５、第２ダストシール５６、ジョイントシャフト５７を具備している。
【００２３】
吊下げ部本体５１は、図４、５に示すように、円筒状をなして上下方向に延びている。吊下げ部本体５１は、第１鍔部５１Ａ、第１凸部５１Ｂ、第２凹部５１Ｃ、第１縮径部５１Ｄ、第２縮径部５１Ｅ、第３縮径部５１Ｆ、及び第２鍔部５１Ｇを具備している。第１鍔部５１Ａは吊下げ部本体５１の円筒状の外周面の下端から外側に平板状に延びている。第１凸部５１Ｂは第１鍔部５１Ａの平板状の下面に下方向に突出している。第１凸部５１Ｂは外径が第１鍔部５１Ａの外径より小さい。第１凸部５１Ｂは吊下げ部本体５１の円筒状の内径に同軸である。第１凸部５１Ｂは外径が第１鍔部５１Ａの外径より小さい。第２凹部５１Ｃは第１凸部５１Ｂの下面に上方向に窪んで設けられている。第２凹部５１Ｃは吊下げ部本体５１の円筒状の内径に同軸である。
【００２４】
第１縮径部５１Ｄは吊下げ部本体５１の円筒状の内周面の下端部に円筒状の内側に向けて突出して設けられている。第２縮径部５１Ｅは第１縮径部５１Ｄの上側に吊下げ部本体５１の円筒状の内側に向けて突出して設けられている。第２縮径部５１Ｅの内径は第１縮径部５１Ｄの内径より大きい。第３縮径部５１Ｆは第２縮径部５１Ｅの上側に吊下げ部本体５１の円筒状の内側に向けて突出して設けられている。第３縮径部５１Ｆの内径は第２縮径部５１Ｅの内径より大きい。第２鍔部５１Ｇは吊下げ部本体５１の円筒状の外周面の上端から外側に平板状に延びている。
【００２５】
吊下げ部本体５１は、第１鍔部５１Ａの下面を第１支持部材１０の上面に当接して第１支持部材１０に２つが設けられている。詳しくは、これら吊下げ部本体５１はそれぞれの第１凸部５１Ｂを第１支持部材１０のそれぞれの第１凹部１０Ｂに上方向から嵌め込み、第１支持部材１０に取り付けられている。
【００２６】
第１軸受５２は円筒状をなしている。第１軸受５２は２つの吊下げ部本体５１のそれぞれに１つずつ設けられている。詳しくは、これら第１軸受５２は円筒状の一端面を２つの吊下げ部本体５１のそれぞれの第１縮径部５１Ｄの上面に当接して吊下げ部本体５１に取り付けられている。
【００２７】
第２軸受５３は円筒状をなしている。第２軸受５３は２つの吊下げ部本体５１のそれぞれに１つずつ設けられている。詳しくは、これら第２軸受５３は、円筒状の一端面を２つの吊下げ部本体５１のそれぞれの第３縮径部５１Ｆの上面に当接し、円筒状の外周面を吊下げ部本体５１の内周面に当接して吊下げ部本体５１に取り付けられている。
【００２８】
第１ダストシール５４は円筒状をなしている。第１ダストシール５４は２つの吊下げ部本体５１のそれぞれに１つずつ設けられている。詳しくは、これら第１ダストシール５４は、円筒状の一端面を２つの吊下げ部本体５１のそれぞれの第２凹部５１Ｃの下面に当接し、円筒状の外周面を第２凹部５１Ｃの内周面に当接して吊下げ部本体５１に取り付けられている。
【００２９】
蓋部材５５は円盤状をなしている。蓋部材５５は円盤状の外径が吊下げ部本体５１の第２鍔部５１Ｇの外径と同じである。蓋部材５５は、第２挿通孔５５Ａ、第２凸部５５Ｂ、及び、第３凹部５５Ｃを具備している。第２挿通孔５５Ａは蓋部材５５の円盤状の中央に板厚方向に貫通して設けられている。第２凸部５５Ｂは蓋部材５５の円盤状の下面から下方向に突出しけ設けられている。第２凸部５５Ｂは第２挿通孔５５Ａの内径に同軸である。第３凹部５５Ｃは蓋部材５５の円盤状の上面に窪んで設けられている。第３凹部５５Ｃは第２挿通孔５５Ａの内径に同軸である。
【００３０】
蓋部材５５は、２つの吊下げ部本体５１のそれぞれに設けられている。詳しくは、これら蓋部材５５は円盤状の下面を２つの吊下げ部本体５１のそれぞれの第２鍔部５１Ｇの上面に当接して、第２凸部５５Ｂを吊下げ部本体５１の円筒状の上端部に嵌め込み、吊下げ部本体５１に取り付けられている。
【００３１】
第２ダストシール５６は円筒状をなしている。第２ダストシール５６は２つの蓋部材５５のそれぞれに設けられている。詳しくは、これら第２ダストシール５６は、円筒状の一端面を２つの蓋部材５５のそれぞれの第３凹部５５Ｃの上面に当接し、円筒状の外周面を第３凹部５５Ｃの内周面に当接して蓋部材５５に取り付けられている。
【００３２】
ジョイントシャフト５７は円柱状をなして上下方向に延びている。ジョイントシャフト５７はボス５７Ａ、第１挿入穴５７Ｂ、一対の第１抜止め孔５７Ｃ、一対の第２抜止め孔５７Ｄ、及び第３凸部５７Ｅを具備している。ボス５７Ａは円柱状をなして、ジョイントシャフト５７に同軸にジョイントシャフト５７の上端面から上方向に延びて設けられている。ボス５７Ａは円柱状の外周面に中心軸に平行に延びる第１キー溝が設けられている（図示せず。）。第１挿入穴５７Ｂはジョイントシャフト５７の下端面に上方向に設けられている。第１挿入穴５７Ｂはジョイントシャフト５７の円柱状に同軸である。第１挿入穴５７Ｂはジョイントシャフト５７の上端部まで延びている。
【００３３】
一対の第１抜止め孔５７Ｃは第１挿入穴５７Ｂの上面の下側にジョイントシャフト５７の中心軸に対して直角方向に貫通して形成されている。これら第１抜止め孔５７Ｃは互いに同軸である。一対の第２抜止め孔５７Ｄは一対の第１抜止め孔５７Ｃの下側にジョイントシャフト５７の中心軸に対して直角方向に貫通して形成されている。これら第２抜止め孔５７Ｄは互いに同軸である。また、これら第２抜止め孔５７Ｄは中心軸が一対の第１抜止め孔５７Ｃの中心軸に対して直角である。
【００３４】
第３凸部５７Ｅはジョイントシャフト５７の下端面に下方向に突出して設けられている。第３凸部５７Ｅは外径がジョイントシャフト５７の外径より小さい。第３凸部５７Ｅはジョイントシャフト５７の外径に同軸である。第３凸部５７Ｅは外径がジョイントシャフト５７の外径より小さい。第３凸部５７Ｅは内周面が第１挿入穴５７Ｂの内周面に連続している。
【００３５】
ジョイントシャフト５７は、下端面を２つの吊下げ部本体５１のそれぞれの第１軸受５２の他端面に１つずつ当接して、第３凸部５７Ｅの外周面をそれぞれの第１軸受５２の円筒状の内周面に１つずつ当接している。また、これらジョイントシャフト５７は円柱状の外周面を２つの吊下げ部本体５１のそれぞれの第２軸受５３の円筒状の内周面、及び２つの蓋部材５５のそれぞれの第２ダストシール５６の円筒状の内周面に当接している。これにより、ジョイントシャフト５７は第１支持部材１０に対して回転自在である。
【００３６】
連結部材１１は円筒状をなして上下方向に延びている。連結部材１１は上端面を第１支持部材１０の平板状の下面の４隅のそれぞれに１つずつ当接して連結されて第１支持部材１０の下面から垂下している。
【００３７】
第２支持部材１２は、図２に示すように、前後方向に幅を有し左右方向に長い長方形状である。第２支持部材１２は外形が第１支持部材１０の外形と同じである。第２支持部材１２は第３挿通孔１２Ａ、第４挿通孔１２Ｂ、第１ボルト挿通孔１２Ｃ、第２ボルト挿通孔１２Ｄ、及び第３ボルト挿通孔１２Ｅを有している。第３挿通孔１２Ａは第２支持部材１２の平板の中央部に左右に並び、板厚方向に貫通して２つが設けられている。
【００３８】
第４挿通孔１２Ｂは第２支持部材１２の平板の４隅のそれぞれに板厚方向に貫通して１つずつ設けられている。第１ボルト挿通孔１２Ｃは、第２支持部材１２の平板状の前側の左端部に板厚方向に貫通して設けられている。詳しくは、第１ボルト挿通孔１２Ｃは第２支持部材１２の前端部の左側に設けられた第４挿通孔１２Ｂの右側、及び後側に１つずつ設けられている。
【００３９】
第２ボルト挿通孔１２Ｄは、第２支持部材１２の平板状の前側の右端部に板厚方向に貫通して設けられている。詳しくは、第２ボルト挿通孔１２Ｄは、第２支持部材１２の前端部の右側に設けられた第４挿通孔１２Ｂの左側、及び後側に１つずつ設けられている。
【００４０】
第３ボルト挿通孔１２Ｅは、第２支持部材１２の平板状の後側の左右中央部に板厚方向に貫通して設けられている。詳しくは、第３ボルト挿通孔１２Ｅは、第２支持部材１２の後側の左右中央部に第２支持部材１２の左右中心に対称に並び２つ設けられている。
【００４１】
第２支持部材１２は、図１、４に示すように、３つが平板状の外形を第１支持部材１０の平板状の外形に合わせて、第１支持部材１０の下方に配置されている。詳しくは、これら第２支持部材１２はそれぞれの第４挿通孔１２Ｂに４つの連結部材１１を挿通して互いに平行に上下方向に並び配置されている。これら第２支持部材１２はそれぞれの第１ボルト挿通孔１２Ｃ、第２ボルト挿通孔１２Ｄ、及び第３ボルト挿通孔１２Ｅの前後方向、及び左右方向の位置が互いに同じである。また、これら第２支持部材１２は上下方向に隣り合う間の寸法が同じである。また、最も上側に位置する第２支持部材１２（以降、上の第２支持部材１２という。）は４つの連結部材１１の上下中央に配置されている。また、最も下側に位置する第２支持部材１２（以降、下の第２支持部材１２という。）は４つの連結部材１１の下端に配置されている。また、上、及び下の間に位置する第２支持部材１２（以降、中の第２支持部材１２という。）は上と、下の第２支持部材１２との間の上下中央に配置されている。つまり、連結部材１１は第１支持部材１０及び第２支持部材１２を連結する。
【００４２】
第３支持部材１３は、図３に示すように、前後方向に幅を有し左右方向に長い長方形状である。第３支持部材１３は外形が第１支持部材１０、及び第２支持部材１２の外形と同じである。第３支持部材１３は、長孔１３Ａ、第５挿通孔１３Ｂ、第４ボルト挿通孔１３Ｃ、第５ボルト挿通孔１３Ｄ、及び第６ボルト挿通孔１３Ｅを有している。
【００４３】
長孔１３Ａは、第３支持部材１３の平板状の板厚方向に貫通して設けられ、左右方向に長い。長孔１３Ａは左右両側のそれぞれが互いに左右外側に湾曲した半円状に形成されている。長孔１３Ａは前端及び後端が互いに平行をなして左右方向に延びて形成されている。長孔１３Ａは左右方向の寸法が第３支持部材１３の左右方向の寸法より僅かに小さい。また、長孔１３Ａは前後方向の寸法が第３支持部材１３の前後方向の寸法より僅かに小さい。
【００４４】
第５挿通孔１３Ｂは第３支持部材１３の平板状の４隅のそれぞれに板厚方向に貫通して設けられている。第４ボルト挿通孔１３Ｃは、第３支持部材１３の平板状の前側の左端部に板厚方向に貫通して設けられている。詳しくは、第４ボルト挿通孔１３Ｃは第３支持部材１３の前端部の左側に設けられた第５挿通孔１３Ｂの右側、及び後側に１つずつ設けられている。
【００４５】
第５ボルト挿通孔１３Ｄは、第３支持部材１３の平板状の前側の右端部に板厚方向に貫通して設けられている。詳しくは、第５ボルト挿通孔１３Ｄは、第３支持部材１３の前端部の右側に設けられた第５挿通孔１３Ｂの左側、及び後側に１つずつ設けられている。
【００４６】
第６ボルト挿通孔１３Ｅは、第３支持部材１３の平板状の後側の左右中央部に板厚方向に貫通して設けられている。詳しくは、第６ボルト挿通孔１３Ｅは、第３支持部材１３の後側の左右中央部に左右中心に対称に並び２つ設けられている。
【００４７】
第３支持部材１３は、図１、４に示すように、平板状の外形を第１支持部材１０、及び第２支持部材１２の平板状の外形に合わせて、第１支持部材１０と上の第２支持部材１２との間に配置されている。詳しくは、第３支持部材１３と上の第２支持部材１２との間の寸法は、上と中の第２支持部材１２との間の寸法、及び中と下の第２支持部材１２との間の寸法と同じである。また、第３支持部材１３は第５挿通孔１３Ｂに４つの連結部材１１を挿通している。また、第３支持部材１３は第４ボルト挿通孔１３Ｃ、第５ボルト挿通孔１３Ｄ、及び第６ボルト挿通孔１３Ｅの前後方向、及び左右方向の位置を第２支持部材１２の第１ボルト挿通孔１２Ｃ、第２ボルト挿通孔１２Ｄ、及び第３ボルト挿通孔１２Ｅの前後方向、及び左右方向の位置に合わせている。なお、以降、第３支持部材１３と、上の第２支持部材１２とに挟まれた空間を第１空間Ｗ１といい、上と、中の第２支持部材１２とに挟まれた空間を第２空間Ｗ２といい、中と、下の第２支持部材１２とに挟まれた空間を第３空間Ｗ３という。
【００４８】
軸受部材１４は、図４に示すように、軸受支持部１４Ａ、及び第３軸受１４Ｂを有している。軸受支持部１４Ａは円盤状をなしている。軸受支持部１４Ａは円盤状の中央に円盤状の板厚方向に貫通して第６挿通孔１４Ｃが設けられている。第３軸受１４Ｂは円筒状をなしている。第３軸受１４Ｂは円筒状の外周面を第６挿通孔１４Ｃの内周面に当接して軸受支持部１４Ａに取り付けられている。
【００４９】
軸受部材１４は、図１に示すように、３つの第２支持部材１２のそれぞれに２つずつ設けられている。詳しくは、これら軸受部材１４は上、及び中の第２支持部材１２のそれぞれの平板状の上面に軸受支持部１４Ａの下面を当接して上、及び中の第２支持部材１２のそれぞれに取り付けられている。また、これら軸受部材１４は下の第２支持部材１２の平板状の下面に軸受支持部１４Ａの上面を当接して下の第２支持部材１２に取り付けられている。また、これら軸受部材１４は第３軸受１４Ｂが第２支持部材１２のそれぞれの第３挿通孔１２Ａに同軸である（図２参照。）。
【００５０】
回転軸１５は、図１、４に示すように、円柱状をなして上下方向に延びている。回転軸１５は、第３抜止め孔１５Ａ、第４抜止め孔１５Ｂ、及び第１連結孔１５Ｃを有している。第３抜止め孔１５Ａは回転軸１５の円柱状の上端部に中心軸に対して直角方向に貫通して設けられている。第４抜止め孔１５Ｂは第３抜止め孔１５Ａの下側に回転軸１５の円柱状の中心軸に対して直角方向に貫通して形成されている。また、第４抜止め孔１５Ｂは中心軸が第３抜止め孔１５Ａの中心軸に対して直角である。第１連結孔１５Ｃは回転軸１５に６つ設けられている。これら第１連結孔１５Ｃは互いに平行に、回転軸１５の円柱状の中心軸に対して直角方向に貫通して設けられている。
【００５１】
回転軸１５は、図１、４、５に示すように、２つの吊下げ部５０のそれぞれのジョイントシャフト５７に連結している。詳しくは、これら回転軸１５は上端部が吊下げ部５０のジョイントシャフト５７の第１挿入穴５７Ｂに下方向から挿入されている。これら回転軸１５は第３抜止め孔１５Ａがジョイントシャフト５７のそれぞれの一対の第１抜止め孔５７Ｃに連通している。そして、連通した第３抜止め孔１５Ａ、及び一対の第１抜止め孔５７Ｃにシャフトピン５８が挿通している。また、これら回転軸１５は第４抜止め孔１５Ｂがジョイントシャフト５７のそれぞれの一対の第２抜止め孔５７Ｄに連通している。そして、連通した第４抜止め孔１５Ｂ、及び一対の第２抜止め孔５７Ｄにシャフトピン５８が挿通している。これらシャフトピンは円柱状の両端部のそれぞれに設けられた割ピン挿通孔に割ピンが挿通されている（図示せず。）。つまり、回転軸１５は第１支持部材１０の吊下げ部５０に上端部が回転自在に連結して垂下する。
【００５２】
また、これら回転軸１５は３つの第２支持部材１２のそれぞれの軸受部材１４の第３軸受１４Ｂに挿通している。また、これら回転軸１５は円柱状の下端が下の第２支持部材１２の軸受部材１４の第３軸受１４Ｂの下端から下方に僅かに突出している。つまり、第２支持部材１２は回転軸１５を回転自在に支持する第３軸受１４Ｂが取り付けられている。そして、第２支持部材１２は回転軸１５を回転自在に挿通している。また、これら回転軸１５のそれぞれの第１連結孔１５Ｃは第１空間Ｗ１、第２空間Ｗ２、及び第３空間Ｗ３のそれぞれの上端部、及び下端部に１つずつが位置している。
【００５３】
水車１６は、図２〜４に示すように、羽根部材１６Ａ、固定部材１６Ｂ、及び連結環１６Ｃを有している。羽根部材１６Ａは半円筒状をなして上下方向に延びている。水車１６は２つの羽根部材１６Ａが水車１６の回転中心に対称に配置されたサボニウス型水車である。
【００５４】
固定部材１６Ｂは円盤状をなしている。固定部材１６Ｂは２つの羽根部材１６Ａを間に挟み、これら羽根部材１６Ａの上端及び下端に１つずつ連結されている。また、これら固定部材１６Ｂは円盤状の中心に板厚方向に貫通した第７挿通孔１６Ｄが設けられている（図２参照。）。
【００５５】
連結環１６Ｃは円筒状をなしている。連結環１６Ｃは上側の固定部材１６Ｂの上面と、下側の固定部材１６Ｂの下面のそれぞれに連結されている。これら連結環１６Ｃは固定部材１６Ｂの第７挿通孔１６Ｄに同軸である。また、これら連結環１６Ｃは一対の第２連結孔１６Ｅを具備している。詳しくは、これら第２連結孔１６Ｅは連結環１６Ｃの円筒状の中心軸に対して直角方向に貫通して設けられている。これら第２連結孔１６Ｅは互いに同軸である。
【００５６】
水車１６は１つの回転軸１５に３つずつ設けられている。詳しくは、これら水車１６は連結環１６Ｃに回転軸１５を挿通して、第１空間Ｗ１、第２空間Ｗ２、及び第３空間Ｗ３のそれぞれに２つずつが消波用ブロック３０の前開口部３０Ｆの左右中心に対称に配置されている（図１、４参照。）。つまり、第２支持部材１２は各水車１６毎に上方及び下方に設けられている。また、これら水車１６はそれぞれの連結環１６Ｃの一対の第２連結孔１６Ｅを回転軸１５のそれぞれの第１連結孔１５Ｃに連通させている（図４参照。）。そして、連通した一対の第２連結孔１６Ｅ及び第１連結孔１５Ｃにボルト１６Ｆが挿通されて、ボルト１６Ｆにナット１６Ｇがねじ込まれている。つまり、これら水車１６は回転軸１５に連結して回転軸１５を中心に回転し、上下方向に並んで設けられている。これら水車１６はボルト１６Ｆにねじこまれたナット１６Ｇをボルト１６Ｆから外すことによって回転軸１５から容易に取り外すことができる。つまり、これら水車１６は、それぞれが回転軸１５に着脱自在である。
【００５７】
また、消波用ブロック３０の前開口部３０Ｆに対して左側に配置された３つの水車１６、及び右側に配置された３つの水車１６のそれぞれの回転中心に対する羽根部材１６Ａの配置は、消波用ブロック３０の前開口部３０Ｆの左右中心に対称である（図２、３参照。）。
【００５８】
また、上方からの平面視において、左側の回転軸１５の上下に隣り合う水車１６は、下側の水車１６が上側の水車１６に対して羽根部材１６Ａの回転方向の位相が時計方向に１２０°ずれている。また、右側の回転軸１５の上下に隣り合う水車１６は、下側の水車１６が上の水車１６に対して羽根部材１６Ａの回転方向の位相が反時計方向に１２０°ずれている。これにより、この波力発電装置は水車１６と共に回転する回転軸１５の回転斑を抑えることができる。
【００５９】
整流部材２０は、図１、４に示すように、一対の第１整流部材２１、及び一対の第２整流部材２２を有している。第１整流部材２１は、図２に示すように、第１整流部本体２１Ａ、一対の第１基板２１Ｂ、及び第１補強板２１Ｃを具備している。第１整流部本体２１Ａは上下方向に長い長方形状の平板である。
【００６０】
第１基板２１Ｂは一方向に長い平板である。第１基板２１Ｂは第１整流部本体２１Ａの長方形状の短辺である上端及び下端のそれぞれに１つずつ第１整流部本体２１Ａに垂直に連続して連結している（図１参照。）。これら第１基板２１Ｂは第１整流部本体２１Ａの一方の面側に延びている。これら第１基板２１Ｂは第１整流部本体２１Ａに連続した一方の長辺の寸法が第１整流部本体２１Ａの短辺の寸法と同じである。また、これら第１基板２１Ｂは他方の長辺の寸法が一方の長辺の寸法より小さい。また、これら第１基板２１Ｂは板厚方向に貫通して円弧状をなした一対の第１弧状孔２１Ｄが設けられている。これら第１弧状孔２１Ｄは円弧状の形状が互いに同一円周上になるように第１基板２１Ｂに設けられている。これら第１弧状孔２１Ｄは第１基板２１Ｂの長辺方向の両端部に１つずつ設けられている。
【００６１】
第１補強板２１Ｃは上下方向に長い長方形状の平板である。第１補強板２１Ｃは第１整流部本体２１Ａの一方の面側に垂直に第１整流部本体２１Ａの２つの長辺の中央に連結している。また、第１補強板２１Ｃは上端及び下端のそれぞれを一対の第１基板２１Ｂの互いに向かい合う面のそれぞれに連結している。第１整流部材２１は第１整流部本体２１Ａの他方の面が第１整流面２１Ｅである。こうして第１整流部材２１が形成されている。
【００６２】
第２整流部材２２は第２整流部本体２２Ａ、一対の第２基板２２Ｂ、及び第２補強板２２Ｃを具備している。第２整流部本体２２Ａは上下方向に長い長方形状の平板である。
【００６３】
第２基板２２Ｂは、三角形状の平板である。詳しくは、第２基板２２Ｂは１つの円弧と互いに同じ長さの２つの線分とで形成されている。第２基板２２Ｂは第２整流部本体２２Ａの長方形状の短辺ある上端及び下端のそれぞれに１つずつ第２整流部本体２２Ａに垂直に連続して連結している（図４参照。）。これら第２基板２２Ｂは線分で形成された一方の辺を第２整流部本体２２Ａの上端及び下端にそれぞれ連結している。これら第２基板２２Ｂは第２整流部本体２２Ａの一方の面側に延びている。これら第２基板２２Ｂは線分で形成された２つの辺のそれぞれの寸法が第２整流部本体２２Ａの短辺の寸法と同じである。また、円弧で形成された辺がなす半径は第２整流部本体２２Ａの短辺の寸法と同じである。また、上方からの平面視において、第２整流部本体２２Ａの長方形状の上端及び下端のそれぞれに連結した第２基板２２Ｂは外形が互いに一致している。また、これら第２基板２２Ｂは板厚方向に貫通して円弧状をなした第２弧状孔２２Ｄが設けられている。第２弧状孔２２Ｄは円弧状の形状が第２基板２２Ｂの円弧で形成された辺の半径と同芯になるように第２基板２２Ｂの１つの円弧で形成された辺に沿って設けられている。
【００６４】
第２補強板２２Ｃは上下方向に長い長方形状の平板である。第２補強板２２Ｃは第２整流部本体２２Ａの一方の面側に垂直に第２整流部本体２２Ａの２つの長辺の中央に連結している。また、第２補強板２２Ｃは上端及び下端のそれぞれを一対の第２基板２２Ｂの互いに向かい合う面のそれぞれに連結している。第２整流部材２２は第２整流部本体２２Ａの他方の面が第２整流面２２Ｅである。こうして第２整流部材２２が形成されている。
【００６５】
第１空間Ｗ１への整流部材２０の一対の第１整流部材２１、及び一対の第２整流部材２２の配置の形態について説明する。図１、２、４に示すように、一対の第１整流部材２１は第１空間Ｗ１の前側の左右両端部にそれぞれが配置されている。詳しくは、これら第１整流部材２１はそれぞれの上側の第１基板２１Ｂの上面が第３支持部材１３の下面に当接している。そして、これら第１整流部材２１はそれぞれの下側の第１基板２１Ｂの下面が上の第２支持部材１２の上面に当接している。また、これら第１整流部材２１はそれぞれの第１整流面２１Ｅを左右内側の後方に向けている（図２参照。）。
【００６６】
また、左側の第１整流部材２１は、第１整流部本体２１Ａが第３支持部材１３、及び上の第２支持部材１２の外形から外側へ食み出していない。また、左側の第１整流部材２１は上側の第１基板２１Ｂの第１弧状孔２１Ｄを第３支持部材１３の第４ボルト挿通孔１３Ｃに連通させている（図３参照。）。そして、連通した第１弧状孔２１Ｄ及び第３支持部材１３の第４ボルト挿通孔１３Ｃにボルト２０Ａが挿通されて、ボルト２０Ａにナット２０Ｂがねじ込まれている。また、左側の第１整流部材２１は下側の第１基板２１Ｂの第１弧状孔２１Ｄを上の第２支持部材１２の第１ボルト挿通孔１２Ｃに連通させている（図２参照。）。
【００６７】
また、右側の第１整流部材２１は、第１整流部本体２１Ａが第３支持部材１３、及び上の第２支持部材１２の外形から外側へ食み出していない。また、右側の第１整流部材２１は上側の第１基板２１Ｂの第１弧状孔２１Ｄを第３支持部材１３の第５ボルト挿通孔１３Ｄに連通させている（図３参照。）。そして、連通した第１弧状孔２１Ｄ及び第３支持部材１３の第５ボルト挿通孔１３Ｄにボルト２０Ａが挿通されて、ボルト２０Ａにナット２０Ｂがねじ込まれている。また、右側の第１整流部材２１は下側の第１基板２１Ｂの第１弧状孔２１Ｄを上の第２支持部材１２の第２ボルト挿通孔１２Ｄに連通させている（図２参照。）。
【００６８】
一対の第２整流部材２２は互いに第３支持部材１３、及び第２支持部材１２の左右中心に対称である。一対の第２整流部材２２は第１空間Ｗ１の後側の左右中央部にそれぞれが配置されている。詳しくは、一対の第２整流部材２２はそれぞれの上側の第２基板２２Ｂの上面が第３支持部材１３の下面に当接している。そして、一対の第２整流部材２２はそれぞれの下側の第２基板２２Ｂの下面が上の第２支持部材１２の上面に当接している。また、一対の第２整流部材２２は第２整流部本体２２Ａの一方の長辺を第３支持部材１３、及び第２支持部材１２の左右中心に合わせて互いに当接させている。また、一対の第２整流部材２２は、第２整流部本体２２Ａが第３支持部材１３、及び上の第２支持部材１２の外形から外側へ食み出していない。また、一対の第２整流部材２２はそれぞれの第２整流面２２Ｅを左右外側の前方に向けている。
【００６９】
また、左側の第２整流部材２２は上側の第２基板２２Ｂの第２弧状孔２２Ｄを第３支持部材１３の左側の第６ボルト挿通孔１３Ｅに連通させている（図３参照。）。そして、連通した第２弧状孔２２Ｄ及び第３支持部材１３の左側の第６ボルト挿通孔１３Ｅにボルト２０Ａが挿通されて、ボルト２０Ａにナット２０Ｂがねじ込まれている。また、左側の第２整流部材２２は下側の第２基板２２Ｂの第２弧状孔２２Ｄを上の第２支持部材１２の左側の第３ボルト挿通孔１２Ｅに連通させている（図２参照。）。
【００７０】
また、右側の第２整流部材２２は上側の第２基板２２Ｂの第２弧状孔２２Ｄを第３支持部材１３の右側の第６ボルト挿通孔１３Ｅに連通させている（図３参照。）。そして連通した第２弧状孔２２Ｄ及び第３支持部材１３の右側の第６ボルト挿通孔１３Ｅにボルト２０Ａが挿通されて、ボルト２０Ａにナット２０Ｂがねじ込まれている。また、右側の第２整流部材２２は下側の第２基板２２Ｂの第２弧状孔２２Ｄを上の第２支持部材１２の右側の第３ボルト挿通孔１２Ｅに連通させている（図２参照。）。こうして第１空間Ｗ１に整流部材２０が配置されている。
【００７１】
第２空間Ｗ２への整流部材２０の一対の第１整流部材２１、及び一対の第２整流部材２２の配置の形態について説明する。なお、第１空間Ｗ１への整流部材２０の配置の形態と同一な点については説明を省略する。
【００７２】
一対の第１整流部材２１はそれぞれの上側の第１基板２１Ｂの上面が上の第２支持部材１２の下面に当接している。そして、これら第１整流部材２１はそれぞれの下側の第１基板２１Ｂの下面が中の第２支持部材１２の上面に当接している。
【００７３】
また、左側の第１整流部材２１は上側の第１基板２１Ｂの第１弧状孔２１Ｄを上の第２支持部材１２の第１ボルト挿通孔１２Ｃに連通させている。そして、連通した第１弧状孔２１Ｄ、上の第２支持部材１２の第１ボルト挿通孔１２Ｃ、及び第１空間Ｗ１の左側の第１整流部材２１の下側の第１基板２１Ｂの第１弧状孔２１Ｄにボルト２０Ａが挿通されて、ボルト２０Ａにナット２０Ｂがねじ込まれている。また、左側の第１整流部材２１は下側の第１基板２１Ｂの第１弧状孔２１Ｄを中の第２支持部材１２の第１ボルト挿通孔１２Ｃに連通させている。
【００７４】
また、右側の第１整流部材２１は上側の第１基板２１Ｂの第１弧状孔２１Ｄを上の第２支持部材１２の第２ボルト挿通孔１２Ｄに連通させている。そして、連通した第１弧状孔２１Ｄ、上の第２支持部材１２の第２ボルト挿通孔１２Ｄ、及び第１空間Ｗ１の右側の第１整流部材２１の下側の第１基板２１Ｂの第１弧状孔２１Ｄにボルト２０Ａが挿通されて、ボルト２０Ａにナット２０Ｂがねじ込まれている。また、右側の第１整流部材２１は下側の第１基板２１Ｂの第１弧状孔２１Ｄを中の第２支持部材１２の第２ボルト挿通孔１２Ｄに連通させている。
【００７５】
一対の第２整流部材２２はそれぞれの上側の第２基板２２Ｂの上面が上の第２支持部材１２の下面に当接している。そして、一対の第２整流部材２２はそれぞれの下側の第２基板２２Ｂの下面が中の第２支持部材１２の上面に当接している。
【００７６】
また、左側の第２整流部材２２は上側の第２基板２２Ｂの第２弧状孔２２Ｄを上の第２支持部材１２の左側の第３ボルト挿通孔１２Ｅに連通させている。そして、連通した第２弧状孔２２Ｄ、上の第２支持部材１２の左側の第３ボルト挿通孔１２Ｅ、及び第１空間Ｗ１の左側の第２整流部材２２の下側の第２基板２２Ｂの第２弧状孔２２Ｄにボルト２０Ａが挿通されて、ボルト２０Ａにナット２０Ｂがねじ込まれている。また、左側の第２整流部材２２は下側の第２基板２２Ｂの第２弧状孔２２Ｄを中の第２支持部材１２の左側の第３ボルト挿通孔１２Ｅに連通させている。
【００７７】
また、右側の第２整流部材２２は上側の第２基板２２Ｂの第２弧状孔２２Ｄを上の第２支持部材１２の右側の第３ボルト挿通孔１２Ｅに連通させている。そして、連通した第２弧状孔２２Ｄ、上の第２支持部材１２の右側の第３ボルト挿通孔１２Ｅ、及び第１空間Ｗ１の右側の第２整流部材２２の下側の第２基板２２Ｂの第２弧状孔２２Ｄにボルト２０Ａが挿通されて、ボルト２０Ａにナット２０Ｂがねじ込まれている。また、右側の第２整流部材２２は下側の第２基板２２Ｂの第２弧状孔２２Ｄを中の第２支持部材１２の右側の第３ボルト挿通孔１２Ｅに連通させている。こうして第２空間Ｗ２に整流部材２０が配置されている。
【００７８】
第３空間Ｗ３への整流部材２０の一対の第１整流部材２１、及び一対の第２整流部材２２の配置の形態について説明する。なお、第１空間Ｗ１、及び第２空間Ｗ２への整流部材２０の配置の形態と同一な点については説明を省略する。
【００７９】
一対の第１整流部材２１はそれぞれの上側の第１基板２１Ｂの上面が中の第２支持部材１２の下面に当接している。そして、これら第１整流部材２１はそれぞれの下側の第１基板２１Ｂの下面が下の第２支持部材１２の上面に当接している。
【００８０】
また、左側の第１整流部材２１は上側の第１基板２１Ｂの第１弧状孔２１Ｄを中の第２支持部材１２の第１ボルト挿通孔１２Ｃに連通させている。そして、連通した第１弧状孔２１Ｄ、中の第２支持部材１２の第１ボルト挿通孔１２Ｃ、及び第２空間Ｗ２の左側の第１整流部材２１の下側の第１基板２１Ｂの第１弧状孔２１Ｄにボルト２０Ａが挿通されて、ボルト２０Ａにナット２０Ｂがねじ込まれている。また、左側の第１整流部材２１は下側の第１基板２１Ｂの第１弧状孔２１Ｄを下の第２支持部材１２の第１ボルト挿通孔１２Ｃに連通させている。そして、連通した第１弧状孔２１Ｄ、下の第２支持部材１２の第１ボルト挿通孔１２Ｃにボルト２０Ａが挿通されて、ボルト２０Ａにナット２０Ｂがねじ込まれている。
【００８１】
また、右側の第１整流部材２１は上側の第１基板２１Ｂの第１弧状孔２１Ｄを中の第２支持部材１２の第２ボルト挿通孔１２Ｄに連通させている。そして、連通した第１弧状孔２１Ｄ、中の第２支持部材１２の第２ボルト挿通孔１２Ｄ、及び第２空間Ｗ２の右側の第１整流部材２１の下側の第１基板２１Ｂの第１弧状孔２１Ｄにボルト２０Ａが挿通されて、ボルト２０Ａにナット２０Ｂがねじ込まれている。また、右側の第１整流部材２１は下側の第１基板２１Ｂの第１弧状孔２１Ｄを下の第２支持部材１２の第２ボルト挿通孔１２Ｄに連通させている。そして、連通した第１弧状孔２１Ｄ、下の第２支持部材１２の第２ボルト挿通孔１２Ｄにボルト２０Ａが挿通されて、ボルト２０Ａにナット２０Ｂがねじ込まれている。
【００８２】
一対の第２整流部材２２はそれぞれの上側の第２基板２２Ｂの上面が中の第２支持部材１２の下面に当接している。そして、一対の第２整流部材２２はそれぞれの下側の第２基板２２Ｂの下面が下の第２支持部材１２の上面に当接している。
【００８３】
また、左側の第２整流部材２２は上側の第２基板２２Ｂの第２弧状孔２２Ｄを中の第２支持部材１２の左側の第３ボルト挿通孔１２Ｅに連通させている。そして、連通した第２弧状孔２２Ｄ、中の第２支持部材１２の左側の第３ボルト挿通孔１２Ｅ、及び第２空間Ｗ２の左側の第２整流部材２２の下側の第２基板２２Ｂの第２弧状孔２２Ｄにボルト２０Ａが挿通されて、ボルト２０Ａにナット２０Ｂがねじ込まれている。また、左側の第２整流部材２２は下側の第２基板２２Ｂの第２弧状孔２２Ｄを下の第２支持部材１２の左側の第３ボルト挿通孔１２Ｅに連通させている。そして、連通した第２弧状孔２２Ｄ、下の第２支持部材１２の左側の第３ボルト挿通孔１２Ｅにボルト２０Ａが挿通されて、ボルト２０Ａにナット２０Ｂがねじ込まれている。
【００８４】
また、右側の第２整流部材２２は上側の第２基板２２Ｂの第２弧状孔２２Ｄを中の第２支持部材１２の右側の第３ボルト挿通孔１２Ｅに連通させている。そして、連通した第２弧状孔２２Ｄ、中の第２支持部材１２の左側の第３ボルト挿通孔１２Ｅ、及び第２空間Ｗ２の右側の第２整流部材２２の下側の第２基板２２Ｂの第２弧状孔２２Ｄにボルト２０Ａが挿通されて、ボルト２０Ａにナット２０Ｂがねじ込まれている。また、右側の第２整流部材２２は下側の第２基板２２Ｂの第２弧状孔２２Ｄを下の第２支持部材１２の右側の第３ボルト挿通孔１２Ｅに連通させている。そして、連通した第２弧状孔２２Ｄ、下の第２支持部材１２の右側の第３ボルト挿通孔１２Ｅにボルト２０Ａが挿通されて、ボルト２０Ａにナット２０Ｂがねじ込まれている。こうして第３空間Ｗ３に整流部材２０が配置されている。つまり、整流部材２０は上下方向で隣り合う第２支持部材１２の間に設けられている。
【００８５】
また、整流部材２０は、第１空間Ｗ１において、一対の第１整流部材２１、及び一対の第２整流部材２２の上端が第３支持部材１３に連結し、下端が上の第２支持部材１２に連結している。また、整流部材２０は、第２空間Ｗ２において、一対の第１整流部材２１、及び一対の第２整流部材２２の上端が上の第２支持部材１２に連結し、下端が中の第２支持部材１２に連結している。また、整流部材２０は、第３空間Ｗ３において、一対の第１整流部材２１、及び一対の第２整流部材２２の上端が中の第２支持部材１２に連結し、下端が下の第２支持部材１２に連結している。
【００８６】
また、第１空間Ｗ１、第２空間Ｗ２、及び第３空間Ｗ３のそれぞれに配置された整流部材２０である１対の第１整流部材２１、及び１対の第２整流部材２２はそれぞれの第１基板２１Ｂ、及び第２基板２２Ｂに挿通されたボルト２０Ａにねじ込まれたナット２０Ｂをボルト２０Ａから緩めることによって、消波用ブロック３０の前開口部３０Ｆの開口方向に対してそれぞれの第１整流面２１Ｅ、及び第２整流面２２Ｅの角度を個別に調整することができる（図２参照。）。つまり、整流部材２０である１対の第１整流部材２１、及び１対の第２整流部材２２は回転軸１５に沿って伸びた第１整流面２１Ｅ、及び第２整流面２２Ｅを有している。また、上方から見た平面視において、一対の第１整流部材２１、及び１対の第２整流部材２２は第１整流面２１Ｅ、及び第２整流面２２Ｅを消波用ブロック３０の前開口部３０Ｆの開口方向に対して交差する方向に角度を調整して第３支持部材１３、及び第２支持部材１２に連結されている。
【００８７】
発電部４０は、図５に示すように、収納部材４０Ａ、スライド部材４０Ｂ、油圧ポンプ４０Ｃ、油圧モータ（図示せず）、油圧回路（図示せず）、発電機（図示せず）、動力伝達部４０Ｄを有している。
【００８８】
収納部材４０Ａは四角形状の底板部４０Ｅ、及び底板部４０Ｅの周縁から立ち上がった立壁部４０Ｆを有している。スライド部材４０Ｂは、一対のレール４０Ｇ、及びスライド台４０Ｈを具備している。一対のレール４０Ｇは収納部材４０Ａの底板部４０Ｅの上面に設けられている。これらレール４０Ｇは互いに平行をなして、互いの間に所定の間隔を設けて前後方向に延びている。スライド台４０Ｈは平板状をなして左右方向に幅を有し、前後方向に延びている。スライド台４０Ｈは平板状の下面に窪んで設けられた一対の凹部を具備している。これら凹部はスライド台４０Ｈの前端から後端にわたり前後方向に延びている。スライド台４０Ｈは一対の凹部のそれぞれに一対のレール４０Ｇのそれぞれを嵌め込み、一対のレール４０Ｇに載置されている。スライド台４０Ｈは一対のレール４０Ｇに対して前後方向に移動自在である。
【００８９】
油圧ポンプ４０Ｃは駆動軸４０Ｊ、流入ポート４０Ｋ、及び流出ポート４０Ｌを具備している。駆動軸４０Ｊは油圧ポンプ４０Ｃから突出して延びている。流入ポート４０Ｋは油圧ポンプ４０Ｃに作動油が流入する。また流出ポート４０Ｌは油圧ポンプ４０Ｃから作動油が流出する。油圧ポンプ４０Ｃは、駆動軸４０Ｊを収納部材４０Ａの底板部４０Ｅの前端から前方に突出させ、スライド台４０Ｈの上面に左右に並び２つ設けられている（図示せず。）。
【００９０】
これら油圧ポンプ４０Ｃはそれぞれの流出ポート４０Ｌを１つの油圧モータ（図示せず）の流入ポートに連通して、油圧モータの流出ポートをこれら油圧ポンプ４０Ｃのそれぞれの流入ポート４０Ｋに連通して油圧回路（図示せず）を構成している。油圧回路は閉回路である。また、１つの油圧モータは出力軸を具備している。出力軸は発電機（図示せず）が具備する発電軸に連結している。
【００９１】
動力伝達部４０Ｄは伝達軸４０Ｍ、第１歯車４０Ｎ、及び第２歯車４０Ｐを具備している。伝達軸４０Ｍは円柱状をなして上下方向に延びている。伝達軸４０Ｍは第２挿入穴４０Ｑが設けられている。第２挿入穴４０Ｑは伝達軸４０Ｍの下端面に上方向に設けられている。第２挿入穴４０Ｑは伝達軸４０Ｍの外径に同軸である。第２挿入穴４０Ｑは内周面に中心軸に平行に延びる第２キー溝が設けられている（図示せず。）。伝達軸４０Ｍは吊下げ部５０のそれぞれのジョイントシャフト５７に１つずつ連結している。詳しくは、これら伝達軸４０Ｍはそれぞれの第２挿入穴４０Ｑに２つのジョイントシャフト５７のそれぞれのボス５７Ａが挿入されている。これら伝達軸４０Ｍは第２挿入穴４０Ｑのそれぞれの第２キー溝と、ジョイントシャフト５７のそれぞれのボス５７Ａの第１キー溝とに挿入されるキー（図示せず）によって、ジョイントシャフト５７に連結している。これにより、これら伝達軸４０Ｍはそれぞれのジョイントシャフト５７と共に回転する。
【００９２】
第１歯車４０Ｎは傘歯車である。第１歯車４０Ｎはそれぞれの伝達軸４０Ｍの上端部に１つずつ設けられている。これら第１歯車４０Ｎはそれぞれの伝達軸４０Ｍの外径に同軸である。また、これら第１歯車４０Ｎは外径が上方向に小さくなっている。
【００９３】
第２歯車４０Ｐは傘歯車である。第２歯車４０Ｐはそれぞれの油圧ポンプ４０Ｃの駆動軸４０Ｊの先端部に１つずつ取り付けられている。これら第２歯車４０Ｐはそれぞれの油圧ポンプ４０Ｃの駆動軸４０Ｊの外径に同軸である。また、これら第２歯車４０Ｐは外径が前方向に小さくなっている。発電部４０は収納部材４０Ａが消波用ブロック３０の上端開口部３０Ｅの後側に配置されている。そして、これら第２歯車４０Ｐはそれぞれの第１歯車４０Ｎの後側にかみ合っている。また、発電部４０はスライド台４０Ｈを後方向に移動させることができる。つまり、発電部４０は必要に応じて油圧ポンプ４０Ｃと第２歯車４０Ｐとをスライド台４０Ｈと共に後方向に移動させることによって、第２歯車４０Ｐを第１歯車４０Ｎから分離させることができる。
【００９４】
この波力発電装置は、図４に示すように、消波用ブロック３０の消波用空間Ｒ内に設置される。詳しくは、この波力発電装置は第１支持部材１０の４つの取付け部１０Ｄのそれぞれの上端部を消波用ブロック３０の上端開口部３０Ｅの複数の梁部材３０Ｇにそれぞれ連結している。この波力発電装置は第１支持部材１０、第２支持部材１２、及び第３支持部材１３の前端が消波用ブロック３０の前壁部３０Ａに対して僅かに隙間を設けて配置されている。また、この波力発電装置は第１支持部材１０、第２支持部材１２、及び第３支持部材１３の左右両端が消波用ブロック３０の左右側壁部３０Ｂに対して僅かに隙間を設けて配置されている（図１参照。）。また、この波力発電装置は２つの回転軸１５の下端面が消波用ブロック３０の底壁部３０Ｄの上面に対して僅かに隙間を設けて配置されている。また、この波力発電装置は第３支持部材１３の上側に水面Ｂが位置している。また、この波力発電装置は消波用ブロック３０の前開口部３０Ｆを挟みそれぞれに水車１６が取り付けられた２つの回転軸１５が左右に並び配置されている（図１〜３参照。）。つまり、この波力発電装置は、水車１６が岸壁Ｓに設置された状態で鉛直方向に伸びた前壁部３０Ａに形成されたスリット状の前開口部３０Ｆを介して波が流入出する消波用空間Ｒ内に配置されている。
【００９５】
次に、この波力発電装置の動作について説明する。
【００９６】
この波力発電装置は、沖Ｐ側から消波用ブロック３０の前開口部３０Ｆを介して消波用空間Ｒに波が流入する。この波は入射波である。このとき、入射波は２つの回転軸１５の間に位置する水車１６の羽根部材１６Ａぶつかる。これによって、上方から見た平面視において、前開口部３０Ｆの左側に配置された３つの水車１６は反時計方向に回転し、前開口部３０Ｆの右側に配置された３つの水車１６は時計方向に回転する。
【００９７】
そして、水車１６を通過した入射波は１対の第２整流部材２２の第２整流面２２Ｅに沿って左右方向に分かれる。そして、左右方向に分かれた入射波は消波用空間Ｒ内を後壁部３０Ｃに向かい流れて後壁部３０Ｃの前面にぶつかり、前方向に流れる反射波になる。反射波は左右側壁部３０Ｂの左右内側の面に沿って前方向に流れる。そして、反射波は２つの回転軸１５の左右外側に位置する水車１６の羽根部材１６Ａぶつかる。これによって、上方から見た平面視において、前開口部３０Ｆの左側に配置された３つの水車１６は反時計方向に回転し、前開口部３０Ｆの右側に配置された３つの水車１６は時計方向に回転する。そして、水車１６を通過した反射波は１対の第１整流部材２１の第１整流面２１Ｅに沿って左右内側に流れる。そして、反射波は前壁部３０Ａの前開口部３０Ｆに向かい流れて、前開口部３０Ｆを介して沖Ｐ側に流出する。つまり、第１整流部材２１、及び第２整流部材２２は入射波、及び反射波の流れを整えることができる。
【００９８】
このように、この波力発電装置は第１支持部材１０に上端部が回転自在に連結して垂下した回転軸１５に複数の水車１６が連結している。また、この波力発電装置は上下方向に隣り合う水車１６の間に設けられた軸受部材１４を介して回転軸１５が第２支持部材１２に回転自在に挿通している。このため、この波力発電装置は水車１６に勢いの強い波がぶつかっても水車１６や回転軸１５が変形することを抑えることができる。
【００９９】
したがって、この波力発電装置は良好に発電することができる。
【０１００】
また、この複数の水車１６は、それぞれが回転軸１５に着脱自在である。このため、この波力発電装置は、所望の水車１６のみを容易にメンテナンスすることができる。
【０１０１】
また、この水車１６は、岸壁Ｓに設置された状態で鉛直方向に伸びた前壁部３０Ａに形成されたスリット状の前開口部３０Ｆを介して波が流入出する消波用空間Ｒ内に配置され、上下方向で隣り合う第２支持部材１２の間に、整流部材２０が設けられている。このため、この波力発電装置は上下方向に並んだそれぞれの水車１６に深さ方向で流れ方の異なる波をより効率よくぶつけることができる。
【０１０２】
また、この整流部材２０は、一対の第１整流部材２１、及び一対の第２整流部材２２が上下方向で隣り合う第２支持部材１２の間に設けられ、上端が第３支持部材１３、上、又は中の第２支持部材１２に連結し、下端が上、中、又は下の第２支持部材１２に連結している。このため、この波力発電装置は上下方向で隣り合う第３支持部材１３、及び第２支持部材１２が整流部材によって連結される。これにより、この波力発電装置は構造をより強くすることができる。
【０１０３】
また、この整流部材２０は、一対の第１整流部材２１、及び一対の第２整流部材２２が回転軸１５に沿って伸びた第１整流面２１Ｅ、及び第２整流面２２Ｅを有しており、上方から見た平面視において、第１整流面２１Ｅ、及び第２整流面２２Ｅは前開口部３０Ｆの開口方向に対して交差する方向に角度を調整して第３支持部材１３、又は第２支持部材１２に連結されている。このため、この波力発電装置は消波用空間Ｒに流入する波である入射波と、消波用空間Ｒに流入した入射波が消波用空間Ｒの後壁部３０Ｃの前面で反射した反射波とを装置の消波用空間Ｒに交互に流入出させるように整流部材２０の第１整流面２１Ｅ、及び第２整流面２２Ｅを調整することができる。つまり、この波力発電装置は、設置する場所の地形により特定される波の周期に合わせて整流部材２０の第１整流面２１Ｅ、及び第２整流面２２Ｅを調整して、入射波、及び反射波のそれぞれを良好に消波用空間Ｒに流入出させることができる。
【０１０４】
本発明は上記記述及び図面によって説明した実施形態１に限定されるものではなく、例えば次のような実施形態も本発明の技術的範囲に含まれる。
（１）実施形態１では、１つの回転軸に３つの水車を連結しているが、これに限らず、１つの回転軸に水車を２つ以下でも良く、４つ以上連結しても良い。
（２）実施形態１では、１つの水車に羽根部材を２つ設けているが、これに限らず、１つの水車に羽根部材を３つ以上設けても良い。
（３）実施形態１では、水車がサボニウス型水車であるが、これに限らず、ダリウス型水車等の他の形態の水車であっても良い。また、これらの形態の水車を併用しても良い。
（４）実施形態１では、３つの水車が連結した回転軸を２つ設けているが、これに限らず、３つの水車が連結した回転軸を１つ設けても良く、３つ以上設けても良い。
（５）実施形態１では、水車が回転軸に対して着脱自在であるが、これに限らず、水車が回転軸に対して着脱自在でなくても良い。
（６）実施形態１では、整流部材を設けているが、これに限らず、整流部材を設けなくても良い。
（７）実施形態１では、上下に隣り合う水車が、下側の水車が上の水車に対して羽根部材の回転方向の位相を１２０°ずらしているが、これに限らす、上下に隣り合う水車のそれぞれの羽根部材の回転方向の位相を１２０°未満ずらしても良く、１２０°より大きくずらしても良い。また、上下に隣り合う水車のそれぞれの羽根部材の回転方向の位相をずらさなくても良い。
（８）実施形態１では、第３支持部材を設けているが、これに限らす、第３支持部材を第２支持部材に置き換えても良い。
（９）実施形態１では、第１支持部材、第２支持部材、及び第３支持部材の左右両端を消波用ブロックの左右側壁部に対して僅かに隙間を設けて配置しているが、これに限らす、第１支持部材、第２支持部材、及び第３支持部材の左右両端を消波用ブロックの左右側壁部に対してより離して配置しても良い。
【符号の説明】
【０１０５】
１０…第１支持部材、１１…連結部材、１２…第２支持部材、１４…軸受部材、１５…回転軸、１６…水車、２０…整流部材、２１…第１整流部材（整流部材）、２１Ｅ…第１整流面（整流面）、２２…第２整流部材（整流部材）、２２Ｅ…第２整流面（整流面）、３０Ａ…前壁部、３０Ｆ…前開口部、Ｒ…消波用空間、Ｓ…岸壁
【図１】
2018071448.tif 000003
【図２】
2018071448.tif 000004
【図３】
2018071448.tif 000005
【図４】
2018071448.tif 000006
【図５】
2018071448.tif 000007